(57)【特許請求の範囲】
【請求項１】
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジと、を備え、
ドラムの奥壁に、加熱手段で加熱された空気をドラム内へ導く温風吹出口が配設され、扉の内側に、加熱された空気をドラム外に排出する温風排出口が配設されており、ドラム内に収容された衣類の温度を検知する衣類温センサが、フランジの前面に配設され、衣類温センサから延びる導電線が、支軸の内側の空間に挿通され、支軸外周の空間へ室内空気を流通させる空気取込口が、支軸を支持する固定壁の支軸端外周に設けられた、衣類乾燥機。
【請求項２】
請求項１に記載の衣類乾燥機において、
前記固定壁の支軸側の面に、支軸の外周を所定の間隔をもって囲う筒状の遮熱板が設けられ、
遮熱板と支軸との間に前記空気取込口が設けられた、衣類乾燥機。
【請求項３】
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジと、を備え、
ドラムの奥壁に、加熱手段で加熱された空気をドラム内へ導く温風吹出口が配設され、扉の内側に、加熱された空気をドラム外に排出する温風排出口が配設され、ドラム内に収容された衣類の温度を検知する衣類温センサが、フランジの前面に配設された衣類乾燥機において、
衣類温センサを覆う外ケースと、
フランジの前面をドラムの内側から覆い、衣類温センサをドラム内側へ露出させるためのセンサ孔を有する表面板と、
センサ孔の内周面と衣類温センサの外ケースとの間に配設された断熱体とを備える、衣類乾燥機。
【請求項４】
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジと、フランジの前面をドラムの内側から覆う表面板と、ドラムの奥壁内側に設けられ、フランジの外周を覆う軸カバーとを備え、
ドラムの奥壁に、加熱手段で加熱された空気をドラム内へ導く温風吹出口が配設され、扉の内側に、加熱された空気をドラム外に排出する温風排出口が配設され、ドラム内に収容された衣類の温度を検知する衣類温センサが、フランジの前面に配設され、
前記フランジ、表面板、及び軸カバーに、前記温風吹出口が配設された、衣類乾燥機。
【請求項５】
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジと、を備え、
ドラムの奥壁に、加熱手段で加熱された空気をドラム内へ導く温風吹出口が配設され、扉の内側に、加熱された空気をドラム外に排出する温風排出口が配設され、ドラム内に収容された衣類の温度を検知する衣類温センサが、フランジの前面に配設され、
ドラムの奥壁に、加熱手段で加熱されていないドラム外の空気をフランジの後面へ導く空気導通孔が配設され、フランジの後面に、前記空気導通孔から送り込まれた空気を衣類温センサから延びる導電線の配設領域に沿って流通させる冷却通路が配設された、衣類乾燥機。
【発明の詳細な説明】
【技術分野】
【０００１】
本発明は、衣類乾燥機に関するものである。
【背景技術】
【０００２】
従来、ドラムの前面部を支持する固定リング板の内側またはドラムの後面部を支持する支持部材の内側に温風吹出口が設けられ、この温風吹出口からドラム内へ向けて加熱された空気を送り込み、ドラムの奥側に設けた温風排出口から加熱された空気を排出するように構成された後方排気構造を有する衣類乾燥機が知られている（例えば、特許文献１〜３）。
【０００３】
この種の衣類乾燥機では、温風吹出口の近傍が最も温度が高くなることから、衣類温センサも上記の固定リング板または支持部材の内側で、且つ温風吹出口の近傍に配設されている。そして、この衣類温センサで接触検知した衣類の温度に応じて、ドラム内へ供給する空気の加熱度合を調整し、衣類の過熱を防止している。
【先行技術文献】
【特許文献】
【０００４】
【特許文献１】特開平６−１７００９７号公報
【特許文献２】特開平６−１７００９３号公報
【特許文献３】特開平１１−３１９３９５号公報
【発明の概要】
【発明が解決しようとする課題】
【０００５】
ところが、上述のような後方排気構造を有する衣類乾燥機では、ドラムの奥側に設けられた温風排出口に除塵用のエアフィルタが取り付けられているため、掃除の際にエアフィルタが取り外し難く、使い勝手が悪い。また、ドラムを回動可能に支持する支軸の周囲にドラムの後面部を支持する支持部材を設けた場合、支軸の周囲の構造が複雑になるだけでなく、ドラムの奥側で支持部材の突出部が生ずるため、衣類が引っ掛かりやすくなる。その結果、衣類が局部的に過熱されたりあるいは逆に衣類が十分に乾燥されないという問題がある。
【０００６】
そこで、平面状に形成されたドラムの奥壁に温風吹出口を設け、ドラムの前方の扉の内側に温風排出口を設けることが考えられる。この後方吹出−前方排気構造を有する衣類乾燥機によれば、ドラムの奥壁に設けた温風吹出口からドラム内の前方へ向けて加熱された空気が送り込まれ、扉の内側に形成された温風排出口を通じて加熱された空気が機外へ排出される。これにより、扉の内側（温風排出口の形成部）に防塵用のエアフィルタを配設することが可能であり、掃除の際にエアフィルタが取り外し易く、使い勝手が良い。また、ドラムの奥壁で衣類の引っ掛かりが少ないため、衣類を効率よく乾燥させることができる。
【０００７】
しかしながら、このような後方吹出−前方排気構造を採用した場合、ドラムの奥壁は回動するためドラムの奥壁内側に衣類温センサを設けることができず、それゆえ特許文献１及び２の衣類乾燥機のようにドラムの前側に位置する固定リング板に衣類温センサを設ける必要がある。その結果、温風吹出口が形成されたドラムの奥側よりも、ドラムの前側、即ち、固定リング板に配設された衣類温センサ側の方が低温になるため、少し温度低下した状態の衣類の温度を衣類温センサが検知することになり、加熱された衣類の温度を正確に測定できない可能性がある。特に、衣類の容量が大きい場合、ドラムの奥側にある温風吹出口近傍の高温の衣類の温度が衣類温センサで検知され難い。
【０００８】
本発明は、上述の事情に鑑みてなされたものであり、本発明の目的は、ドラム内で高温に加熱された衣類の温度を正確に測定可能な衣類乾燥機を提供することにある。
【課題を解決するための手段】
【０００９】
本発明に係る衣類乾燥機は、
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジと、を備え、
ドラムの奥壁に、加熱手段で加熱された空気をドラム内へ導く温風吹出口が配設され、扉の内側に、加熱された空気をドラム外に排出する温風排出口が配設されており、ドラム内に収容された衣類の温度を検知する衣類温センサが、フランジの前面に配設され、衣類温センサから延びる導電線が、支軸の内側の空間に挿通され、支軸外周の空間へ室内空気を流通させる空気取込口が、支軸を支持する固定壁の支軸端外周に設けられたものである。
【００１０】
上記衣類乾燥機では、ドラムを回動可能に支持する支軸のドラム内側の端部にフランジが固定されているから、ドラムの奥壁に温風吹出口を有する衣類乾燥機であっても、温風吹出口の近傍のフランジの前面に衣類温センサを配設することができる。それゆえ、温風吹出口の近傍に滞留する最も加熱された状態の衣類の温度を検知できる。また、上記衣類乾燥機では、ドラムの奥壁に温風吹出口が設けられているとともに、円板状のフランジが支軸に固定されているから、ドラムの奥側で衣類の引っ掛かりも少ない。特に、上記衣類乾燥機では、衣類温センサから延びる導電線が支軸の内側の空間に挿通されており、また、支軸は、空気取込口から支軸外周の空間へ送り込まれる室内空気によって冷却されるから、導電線の被覆が溶けてしまう不具合や、導電線を介して衣類温センサへ伝わる熱によって衣類温度が誤検知されてしまう不具合を防止できる。
【００１１】
上記衣類乾燥機において、好ましくは、前記固定壁の支軸側の面に、支軸の外周を所定の間隔をもって囲う筒状の遮熱板が設けられ、遮熱板と支軸との間に前記空気取込口が設けられる。
【００１２】
このものでは、空気取込口から支軸外周の空間へ室内空気が確実に導かれる。また、たとえ加熱手段で加熱された高温の空気がドラムの奥壁と固定壁との間隙にまで回り込んだとしても、遮熱板によってその高温の空気が支軸へ直接的に吹きつけられるのも阻止される。従って、上述した導電線の被覆の溶解や導電線を介した熱伝導による衣類温度の誤検知をより効果的に防止できる。また、衣類温センサが熱伝導の影響を受けて劣化するのも防止できる。
【００１７】
また、本発明に係る衣類乾燥機は、
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジとを備え、ドラムの奥壁に、加熱手段で加熱された空気をドラム内へ導く温風吹出口が配設され、扉の内側に、加熱された空気をドラム外に排出する温風排出口が配設され、ドラム内に収容された衣類の温度を検知する衣類温センサが、フランジの前面に配設された衣類乾燥機であって、衣類温センサを覆う外ケースと、フランジの前面をドラムの内側から覆い、衣類温センサをドラム内側へ露出させるためのセンサ孔を有する表面板と、衣類温センサを覆う外ケースと、センサ孔の内周面と衣類温センサの外ケースとの間に配設された断熱体とを備える。
【００１８】
ドラムの内側に面するフランジの前面は、加熱された空気の影響を受けて高温になるため、衣類が衣類温センサに接触していなくても、伝熱により衣類温センサが高温を検知する場合がある。これに対して、上記衣類乾燥機では、フランジの前面に表面板が設けられ、その表面板に開設されたセンサ孔に外ケースを有する衣類温センサが配設されており、センサ孔と衣類温センサの外ケースとの間に設けられた断熱体によって、表面板から衣類温センサへの熱伝導が阻止されるから、衣類の正確な温度を衣類温センサによって検知できる。
【００１９】
上記衣類乾燥機は、好ましくは、フランジの前面をドラムの内側から覆う表面板と、ドラムの奥壁内側に設けられ、フランジの外周を覆う軸カバーとを有し、フランジ、表面板、及び軸カバーに温風吹出口が配設される。
【００２０】
上記衣類乾燥機では、支軸のドラム内側の端部から外周方向へ張り出すフランジに衣類がより引っ掛り難くなるから、フランジの周囲で回転する衣類全体の温度をより正確に検知することができる。
【００２２】
上記衣類乾燥機では、温風吹出口付近で加熱された直後の衣類が衣類温センサに接触し易いから、さらに正確に衣類の温度を検知できる。
【００２３】
また、本発明に係る衣類乾燥機は、
本体の正面側に開放する筒状のドラムと、ドラムの前方の衣類取出口を被蓋する扉と、ドラム内への空気の給排気を行う給排気手段と、給排気手段によってドラム内へ送り込まれる空気を加熱する加熱手段と、ドラムの奥壁中央部にドラムを回動可能に支持する支軸と、支軸のドラム内側の端部に固定され、ドラムの回転中心から外周方向へ張り出す円板状のフランジとを備え、ドラムの奥壁に、加熱手段で加熱された空気をドラム内へ導く温風吹出口が配設され、扉の内側に、加熱された空気をドラム外に排出する温風排出口が配設され、ドラム内に収容された衣類の温度を検知する衣類温センサが、フランジの前面に配設された衣類乾燥機であって、ドラムの奥壁に、加熱手段で加熱されていないドラム外の空気をフランジの後面へ導く空気導通孔が配設され、フランジの後面に、前記空気導通孔から送り込まれた空気を衣類温センサから延びる導電線の配設領域に沿って流通させる冷却通路が配設される。
【００２４】
ドラムの奥壁に対峙するフランジの後面は、ドラム内へ供給される加熱された空気の影響を受けて高温になるため、衣類が衣類温センサに接触していなくても、その衣類温センサからフランジに沿って延設される導電線への伝熱により、衣類温センサが高温を検知してしまう場合がある。これに対して、上記衣類乾燥機では、加熱手段で加熱されていないドラム外の空気をドラムの奥壁とフランジの後面との間隙へ導く空気導通孔がドラムの奥壁に設けられ、上記導電線の配設領域に沿って流通させる冷却通路がフランジの後面に設けられており、この冷却通路へ流通させるドラム外の空気によって、導電線への熱伝導が抑制されるから、より正確な衣類の温度を衣類温センサによって検知できる。また、衣類温センサが上記熱伝導の影響を受けて劣化するのも防止できる。
【発明の効果】
【００２７】
以上のように、本発明によれば、ドラム内で高温に加熱された衣類の温度を精度よく測定することができる。
【図面の簡単な説明】
【００２８】
【図１】図１は、本発明の第１の実施形態に係る衣類乾燥機を示す側面視概略縦断面図である。
【図２】図２は、本発明の第１の実施形態に係る衣類乾燥機の正面視概略縦断面図である。
【図３】図３は、本発明の第１の実施形態に係る衣類乾燥機の支軸周辺の側面視概略縦断面図である。
【図４】図４は、本発明の実施の形態に係る衣類乾燥機の変形例を示す正面視概略縦断面図である。
【図５】図５は、本発明の第１の実施形態に係る衣類乾燥機を用いて乾燥運転時の衣類温度の変化を測定した結果を示すグラフである。
【図６】図６は、本発明の第２の実施形態に係る衣類乾燥機の正面視概略縦断面図である。
【図７】図７は、本発明の第２の実施形態に係る衣類乾燥機の支軸周辺の側面視概略縦断面図である。
【図８】図８は、本発明の第２の実施形態に係る衣類乾燥機のフランジの後面周辺を示す図である。
【図９】図９は、本発明の実施の形態に係る衣類乾燥機の他の変形例における衣類温センサを示す図である。
【図１０】図１０は、本発明の実施の形態に係る衣類乾燥機の他の変形例における衣類温センサの平面視概略横断面図である。
【発明を実施するための形態】
【００２９】
次に、上記した本発明を実施するための形態について、添付図面を参照しながら詳述する。
【００３０】
図１に示すように、本発明の第１の実施形態に係る衣類乾燥機１は、矩形箱状の本体ケース１０と、本体ケース１０の正面に開設された衣類取出口１０１を被蓋する扉１１とでその外郭が構成されている。
【００３１】
本体ケース１０内には、衣類Ｍを収容する一端開放円筒状のドラム１２が収容されている。このドラム１２は、その開放端が本体ケース１０の正面側に面するように略９０度傾倒した横向き姿勢で本体ケース１０内に組み込まれており、その正面開放部の内周面が衣類取出口１０１の内側外周に固設されたリング板１３の外周に遊接支持され、奥壁１２１の中心部が本体ケース１０内奥側の固定壁１０２に設けられた支軸１４に支持されている。
【００３２】
支軸１４を支持する固定壁１０２には、本体ケース１０内の空気をドラム１２の奥壁１２１と固定壁１０２との間隙Ｓ１へ取り込むための空気取込口１０４が開設されており、後述する給排気ファン１８を作動した際に本体ケース１０内へ取り込まれる室内空気が、この空気取込口１０４を通って上記間隙Ｓ１内へ導かれるようになっている。
【００３３】
さらに、固定壁１０２の上記間隙Ｓ１側の面には、ドラム１２の奥壁１２１へ向かって開放する筒状の遮熱板１０５が所定の間隔をもって支軸１４の外周を囲うように配設されている。
【００３４】
また、ドラム１２には、ドラムモータ１２２が接続されており、ドラム１２は、このドラムモータ１２２の駆動力によって上記支軸１４を中心に自在に回動するよう構成されている。
【００３５】
ドラム１２の奥壁１２１には、複数の温風吹出口１２３が形成されており、この奥壁１２１の裏側には、本体ケース１０内へ取り込まれる室内空気や後述するガスバーナ１６１から放出された燃焼ガスを上記温風吹出口１２３へ導くための温風ダクト１５が配設されている。
【００３６】
温風ダクト１５は、ドラム１２の奥壁１２１の裏側からドラム１２下方の本体ケース１０内下部の空間まで延設されており、その下端開放部１５１の下方には、温風ダクト１５を通じてドラム１２内へ導かれる空気を加熱する加熱手段としてバーナユニット１６が配設されている。
【００３７】
バーナユニット１６は、ガスバーナ１６１や弁装置１６２等で構成されており、弁装置１６２に組み込まれた図示しない比例弁を開放すると、バーナユニット１６周辺の空気と共にガスバーナ１６１内へ所定量のガスが送り込まれ、そのガスバーナ１６１の炎孔上方で着火する。そして、送り込まれたガスは燃焼ガスとして温風ダクト１５内へ放出され、ドラフト効果によってその温風ダクト１５の下端開放部１５１へ導かれた本体ケース１０内の空気を加熱しつつ、その加熱された空気と共に温風ダクト１５の正面開放部１５２から温風吹出口１２３を通じてドラム１２内へ供給される。
【００３８】
ドラム１２の上方で且つ本体ケース１０内上部の空間には、後述する連絡通路１１０から導かれたドラム１２内の空気を本体ケース１０外へ導くための排気ダクト１７が配設されている。
【００３９】
排気ダクト１７の一端側の排気入口１７１は、本体ケース１０の正面で且つ衣類取出口１０１の上側に開設されており、他端側の排気出口１７２は、本体ケース１０上面に開設されている。また、排気ダクト１７の中間部には、本体ケース１０内へ取り込まれた室内空気やガスバーナ１６１によって加熱された空気をドラム１２内へ送り込み、さらにドラム１２内から本体ケース１０の外部へ排出させるための給排気手段として給排気ファン１８が組み込まれている。
【００４０】
一方、扉１１の内側には、扉１１が閉じられた状態において衣類取出口１０１へ繋がる温風排出口１１１と、上記排気入口１７１へ繋がる連結口１１２とが設けられており、扉１１の内部には、これら温風排出口１１１および連結口１１２相互を繋ぐ空気の通路（以下、「連絡通路」という）１１０が形成されている。
【００４１】
従って、扉１１が閉じられた状態で給排気ファン１８を回転させると、ドラム１２内の空気が温風排出口１１１から扉１１内部の連絡通路１１０を通って排気ダクト１７内へ送り出され、さらに排気出口１７２から本体ケース１０の外部へ排出される。
【００４２】
本体ケース１０の側面には、本体ケース１０の内外を繋ぐ給気口１０３が設けられており、給排気ファン１８によってドラム１２内へ送り込まれる室内空気やガスバーナ１６１によって加熱される空気は、この給気口１０３から本体ケース１０内へ取り込まれる。
【００４３】
温風排出口１１１の連絡通路１１０側には、取り外し可能な網目状のエアフィルタ１９が装着されており、ドラム１２内の空気が連絡通路１１０を介して排気ダクト１７内へ送り出される際、このエアフィルタ１９によってドラム１２内に浮遊するごみや糸くずが除去される。
【００４４】
一方、温風排出口１１１に対向するドラム１２の奥側には、衣類Ｍの温度を検知するための衣類温センサ２０が設けられている。詳述すると、支軸１４のドラム１２内側の端部には、支軸１４の中心であるドラム１２の回転中心Ｐから外周方向へ張り出す円板状のフランジ１４１が固設されており、ドラム１２の奥壁１２１から内側に突出するフランジ１４１の前面に衣類温センサ２０が取り付けられている。なお、フランジ１４１は、支軸１４の端部と一体で成形されていてもよいし、衣類温センサ２０は、フランジ１４１の前面に複数設けられてもよい。
【００４５】
図２に示すように、衣類温センサ２０は、正面視においてドラム１２の回転中心Ｐから外周側で、且つ回転中心Ｐより下方にオフセットした位置（例えば、回転中心Ｐから６０ｍｍ下方の位置）に配設されている。温風ダクト１５の正面開放部１５２は、この衣類温センサ２０の下側方に開設されている。
【００４６】
図３に示すように、衣類温センサ２０は、円皿状に形成された伝熱性の高い金属製の外ケース２０１を有しており、その外ケース２０１の表面（以下、「検知面」という）２０Ａの温度変化をサーミスタ２０２で検知するように構成されたものである。
【００４７】
支軸１４は、両端開放の円筒状に形成されており、サーミスタ２０２から延設される導電線としてのリード線２０３は、この内側の空間を通って後述する制御回路３０に繋がっている。また、支軸１４は、ドラム１２の奥壁１２１の中央裏面に固設された軸受１２４に挿通支持されており、さらに、その軸受１２４後方側の端部は、本体ケース１０の固定壁１０２に貫挿固定されている。即ち、ドラム１２は、本体ケース１０内に固定された支軸１４を中心として回動可能な状態で支持されている。
【００４８】
空気取込口１０４は、支軸１４の支持端の外周に設けられており、さらにこの空気取込口１０４の形成部の外側に遮熱板１０５が配設されている。そして、この空気取込口１０４から遮熱板１０５の内側の空間Ｓ２へ室内空気が導かれる。また、ドラム１２の温風吹出口１２３が衣類Ｍで塞がれている場合、ガスバーナ１６１から温風ダクト１５内へ送り込まれた燃焼ガスが上記間隙Ｓ１内にまで回り込むことがあるが、その高温の燃焼ガスが支軸１４へ直接的に吹き付けられるのも上記遮熱板１０５によって阻止される。
【００４９】
一方、フランジ１４１の前面には、その全体をドラム１２の内側から覆う円板状の表面板１４２が固定されている。また、表面板１４２には、円形のセンサ孔１４３が開設されており、衣類温センサ２０の検知面２０Ａは、このセンサ孔１４３からドラム１２の内側へ露出している。
【００５０】
表面板１４２の表側の面と衣類温センサ２０の検知面２０Ａとは、略同一平面となるように構成されている。また、外ケース２０１の外周とセンサ孔１４３の内周との間には、表面板１４２の熱が外ケース２０１に伝達されるのを防止するための断熱体１４４が挟み込まれている。
【００５１】
表面板１４２の外周端面は、ドラム１２の奥壁１２１に固設された円環状の軸カバー１２５で覆われている。この軸カバー１２５の内周縁と表面板１４２の外周端面との間には、ドラム１２が回動してもそれら相互が接触しないよう、所定の間隙が形成されている。
【００５２】
図１に示したように、本体ケース１０内には、ドラム１２の回転動作やバーナユニット１６による空気の加熱動作等、衣類乾燥機１全体の運転を制御する制御回路３０が組み込まれており、上述したドラムモータ１２２、弁装置１６２、給排気ファン１８のファンモータ１８１および衣類温センサ２０は、この制御回路３０に電気配線を通じて接続されている。尚、この制御回路３０における衣類温センサ２０によって検知された衣類温度に応じて加熱手段による空気の加熱度合を調整する機能部が、制御部に対応する。
【００５３】
図示しないが、制御回路３０は、ドラム１２の回転および停止を行うドラム作動回路、給排気ファン１８の回転および停止を行うファン作動回路、ガスバーナ１６１の点火および消火を行う点消火回路、衣類Ｍの乾燥状態に基づいて乾燥運転の終了時期を判定する乾燥判定回路等によって構成されており、これら各回路によって衣類Ｍの乾燥運転が実行される。
【００５４】
具体的には、乾燥運転の開始操作がなされると、ファンモータ１８１を駆動して給排気ファン１８を回転させるとともにドラムモータ１２２を駆動してドラム１２を回転させ、さらにガスバーナ１６１を点火する乾燥動作を開始する。すると、本体ケース１０内の空気がガスバーナ１６１から放出された燃焼ガスによって加熱されつつ、その燃焼ガスと共に温風ダクト１５内へ導かれ、温風として温風吹出口１２３からドラム１２内へ供給される。そして、ドラム１２内へ供給された燃焼ガスや高温の空気は、衣類Ｍの水分を蒸発させつつ扉１１の内側の温風排出口１１１を介して連絡通路１１０に排出され、さらに連絡通路１１０を通じて排気ダクト１７へ導かれ、排気出口１７２から本体ケース１０の外部へ排出される。その結果、衣類Ｍは、回転するドラム１２内で攪拌されながら、次第に乾燥していく。
【００５５】
そして、乾燥運転の間に衣類温センサ２０の検知面２０Ａに接触した衣類Ｍの温度が予め設定された基準温度より高ければ、図示しない比例弁を所定の開度まで絞って燃焼ガスの放出量を減少させ、空気の加熱度合を減少させる。一方、上記衣類Ｍの温度が基準温度より低ければ、図示しない比例弁を所定の開度まで開いて燃焼ガスの放出量を増加させ、空気の加熱度合を増加させる。
【００５６】
その後、衣類Ｍが所定の乾燥状態になれば、ガスバーナ１６１を消火させるとともに、給排気ファン１８およびドラム１２を回転させた状態に維持し、衣類Ｍの冷却動作を行う。その結果、衣類Ｍは、回転するドラム１２内で攪拌されながら、次第に除熱されていく。そして、冷却動作を開始してから所定時間が経過すれば、衣類Ｍが適度に冷却されたものとして、給排気ファン１８およびドラム１２の回転を停止させ、運転を終了する。
【００５７】
このように、上記実施の形態によれば、ドラム１２を回動可能に支持する支軸１４のドラム１２内側の端部にフランジ１４１が固定されているから、ドラム１２の奥壁１２１に温風吹出口１２３を有する衣類乾燥機１であっても、温風吹出口１２３近傍のフランジ１４１の前面に衣類温センサ２０を配設することができる。そして、ドラム１２の奥壁１２１の温風吹出口１２３の近傍に配設された衣類温センサ２０によって、温風吹出口１２３の近傍に滞留する加熱された直後の衣類Ｍの温度、即ち、最も加熱された状態の衣類Ｍの温度を検知できるから、ガスバーナ１６１による空気の加熱度合を正確に調整することが可能であり、高い温調精度が発揮される。従って、例えば、大量の衣類Ｍをドラム１２に入れ、乾燥運転の開始初期段階から高温の温風をドラム１２内へ供給する制御動作を行っても、そのドラム１２内の衣類Ｍが過熱状態になる前に、適切に温風の温度を調整できる。
【００５８】
また、この衣類乾燥機１では、フランジ１４１の前面上のドラム１２の回転中心Ｐから下方外周側にオフセットした位置に衣類温センサ２０が配設されている。即ち、乾燥運転中、衣類Ｍは遠心力及び自重によってドラム１２内側の外周寄りで、且つドラム１２内側の下方の空間へ集められる。従って、衣類温センサ２０が上記位置に配設されれば、ドラム１２の回転に伴って衣類Ｍが衣類温センサ２０に接触し易いから、より正確に衣類Ｍの温度を検知できる。これにより、ガスバーナ１６１による空気の加熱度合をより正確に調整することが可能である。
【００５９】
さらに、この衣類乾燥機１では、支軸１４の表面板１４２に開設されたセンサ孔１４３と衣類温センサ２０の外ケース２０１との間に設けられた断熱体１４４によって、その表面板１４２から衣類温センサ２０への熱伝導が阻止されるから、衣類Ｍの正確な温度を衣類温センサ２０によって検知でき、ガスバーナ１６１による空気の加熱度合をより正確に調整することが可能である。
【００６０】
そして、この衣類乾燥機１では、温風吹出口１２３はドラム１２の平面状の奥壁１２１に設けられているから、奥壁１２１からの突出部が少ないだけでなく、フランジ１４１が円板状の形状を有するから、ドラム１２の奥側で衣類Ｍの引っ掛かりも少ない。さらにドラム１２の奥壁１２１に、フランジ１４１の外周を覆う円環状の軸カバー１２５が設けられているから、支軸１４のドラム１２内側の端部からその外周方向へ張り出すフランジ１４１に衣類Ｍがより引っ掛り難くなり、衣類温センサ２０による温度検知が妨げられるのを防止でき、ガスバーナ１６１による空気の加熱度合をより正確に調整することが可能である。
【００６１】
また、支軸１４の支持端外周に空気取込口１０４が設けられており、この空気取込口１０４から上記空間Ｓ２内へ送り込まれる室内空気によって支軸１４が冷却されるから、支軸１４が過熱状態になり難く、その支軸１４内に挿通されるリード線２０３の被覆が溶けてしまう不具合や、リード線２０３を介してサーミスタ２０２へ伝わる熱によって衣類温度が誤検知されてしまう不具合を防止できる。よって、ガスバーナ１６１による空気の加熱度合をより正確に調整することが可能である。
【００６２】
さらに、支軸１４の外周に遮熱板１０５が設けられており、高温の燃焼ガスによって支軸１４が直接的に加熱されるのも阻止されるから、支軸１４が過熱状態になり難く、上述したリード線２０３の被覆の溶解やリード線２０３を介した熱伝導による衣類温度の誤検知をより効果的に防止できる。また、衣類温センサ２０が上記熱伝導の影響を受けて劣化するのも防止できる。よって、ガスバーナ１６１による空気の加熱度合をより正確に調整することが可能である。
【００６３】
尚、上記実施の形態では、衣類温センサ２０はドラム１２の回転中心Ｐから縦中心線上にオフセットした位置に配設されているが、図４に示すように、衣類温センサ２０はドラム１２の回転中心Ｐより下方で且つドラム１２の縦中心線よりその回転方向側へ偏心した位置に配設されていても良い。衣類Ｍは、ドラム１２内でその回転方向へ持ち上げられつつ攪拌されるが、この衣類乾燥機では、ドラム１２の回転方向側へ偏心した位置に衣類温センサ２０が配設されているから、ドラム１２を回動させて乾燥を行う構成の衣類乾燥機１において衣類Ｍがその衣類温センサ２０に接触し易い。これにより、衣類温センサ２０が的確に温度検知でき、ガスバーナ１６１による空気の加熱度合をより正確に調整することが可能である。
【００６４】
図５は、衣類温センサが異なる位置に設けられた衣類乾燥機を用いて、同一乾燥条件で乾燥運転を行った場合に検知される衣類温度の変化を測定した結果である。図中（ａ）は、フランジの前面で、ドラムの回転中心に衣類温センサが配設された衣類乾燥機の測定結果を、（ｂ）は、フランジの前面で、ドラムの回転中心から下方外周側へ４０ｍｍオフセットした位置に衣類温センサが配設された衣類乾燥機の測定結果を、（ｃ）は、フランジの前面で、ドラムの回転中心から下方外周側へ６０ｍｍオフセットした位置に衣類温センサが配設された衣類乾燥機の測定結果を、（ｄ）は、ドラムの前側の固定リング板に衣類温センサが配設された衣類乾燥機の測定結果を示し、（Ａ）はガス量を示す。
【００６５】
図５に示すように、衣類乾燥機（ａ）〜（ｃ）は、ドラムの前側の固定リング板に衣類温センサが配設された衣類乾燥機（ｄ）に比べ、高温に加熱された衣類の温度を検知できることが分かる。従って、本実施の形態によれば、ドラムの奥壁に温風吹出口を、扉の内側に温風排出口を設けた後方吹出−前方排気構造を有する衣類乾燥機であっても、最も加熱される衣類の温度を正確に測定できることが分かる。
【００６６】
また、ドラムの回転中心から下方外周側にオフセットした位置に衣類温センサが配設された衣類乾燥機（ｂ）及び（ｃ）は、ドラムの回転中心に衣類温センサが配設された衣類乾燥機（ａ）よりも、より高温を検知できることが分かる。
【００６７】
図６に示すように、本発明の第２の実施形態に係る衣類乾燥機１Ａは、本体ケース１０内に筒状のドラム１２が横向き姿勢で回動自在に軸支されたものであり、次に詳述する部分以外は、上述した第１の実施形態と同様に構成されているので説明を省略する。
【００６８】
表面板１４２および軸カバー１２５には、それぞれ複数の温風吹出口１２３Ａが形成されており、温風ダクト１５からドラム１２の奥壁１２１後面の間隙Ｓ１へ送り込まれた温風は、奥壁１２１に設けられた温風吹出口１２３を通じてドラム１２内へ供給されるとともに、上記表面板１４２および軸カバー１２５の温風吹出口１２３Ａからもドラム１２内へ供給される。
【００６９】
表面板１４２の温風吹出口１２３Ａは、センサ孔１４３の外周近傍にも開設されており、乾燥運転時、この温風吹出口１２３Ａの近傍で加熱された直後の衣類Ｍの温度が衣類温センサ２０によって検知される。
【００７０】
図７に示すように、遮熱板１０５は、奥壁１２１の後面に近接する位置まで延びており、その奥壁１２１における遮熱板１０５に囲まれた内側の領域には、空気取込口１０４から遮熱板１０５の内側の空間Ｓ２へ送り込まれた室内空気を、後述する冷却通路Ｓ４内へ導くための空気導通孔１２６が開設されている。
【００７１】
一方、奥壁１２１における遮熱板１０５の外側で且つ軸カバー１２５の内側の領域には、ドラム１２の奥壁１２１と固定壁１０２との間隙Ｓ１へ送り込まれた燃焼ガスを、軸カバー１２５で覆われた奥壁１２１とフランジ１４１との間の温風通路Ｓ３内へ導くための温風導通孔１２７が開設されている。
【００７２】
図７および図８に示すように、フランジ１４１の後面には、ドラム１２の奥壁１２１へ向かってその近傍まで延びる筒状の遮熱リング１４５が支軸１４の外周を囲うように配設されている。また、フランジ１４１の後面で且つ遮熱リング１４５の外周下部には、フランジ１４１の後面に沿って上下に延びる断面略コ字状の遮熱カバー１４６がフランジ１４１の縦中心線をその後面側から覆うように配設されている。
【００７３】
遮熱リング１４５および遮熱カバー１４６の内側の空間相互は、一体的に連通しており、フランジ１４１の後面に、奥壁１２１の空気導通孔１２６の配設部から支軸１４の外周面に沿ってフランジ１４１の後面まで延び、さらにその後面の縦中心線に沿って下方へ延び、フランジ１４１の外周端側へ開放する冷却通路Ｓ４を画成している。
【００７４】
衣類温センサ２０のリード線２０３は、フランジ１４１の前面に沿って、外ケース２０１の裏側からその上方のフランジ１４１の中央部へ向かって延びており、冷却通路Ｓ４は、このリード線２０３の配設領域の裏側に沿って配設されている。従って、給排気ファン１８を作動した際、空気取込口１０４から遮熱板１０５の内側の空間Ｓ２へ送り込まれる室内空気は、奥壁１２１の空気導通孔１２６を通って冷却通路Ｓ４内へ導かれ、リード線２０３の配設領域の裏側に沿ってフランジ１４１の外周側の空間へ送り出される。
【００７５】
フランジ１４１における遮熱リング１４５および遮熱カバー１４６の配設部の外側の領域には、上記温風通路Ｓ３内へ送り込まれた燃焼ガスを、表面板１４２の後面側へ導くための温風吹出口１２３Ｂが開設されている。
【００７６】
このものでは、フランジ１４１、表面板１４２および軸カバー１２５に温風吹出口１２３Ａ，１２３Ｂが配設されているから、その温風吹出口１２３Ａ，１２３Ｂ付近で加熱された直後の衣類Ｍが衣類温センサ２０に接触し易く、さらに正確に衣類温度を検知できる。これにより、ガスバーナ１６１による空気の加熱度合をより正確に調整することが可能である。
【００７７】
また、フランジ１４１の後面側は、乾燥運転時、奥壁１２１の温風導通孔１２７から供給される燃焼ガスの影響を受けて高温になるが、このものでは、ドラム１２の奥壁１２１に、本体ケース１０内へ取り込まれる室内空気をフランジ１４１の後面側へ導く空気導通孔１２６が開設され、さらにそのフランジ１４１の後面には、温風導通孔１２７から送り込まれた燃焼ガスを衣類温センサ２０から延びるリード線２０３の配設領域に沿って流通させる冷却通路Ｓ４が配設されているから、この冷却通路Ｓ４へ流通させる室内空気によってリード線２０３への熱伝導が抑制され、より正確な衣類温度を衣類温センサ２０によって検知できる。これにより、ガスバーナ１６１による空気の加熱度合をより正確に調整することが可能である。
【００７８】
上記実施の形態では、衣類温センサ２０の温度検知面、即ち、外ケース２０１の検知面２０Ａが、表面板１４２の表側の面と略同一平面となるように構成されているが、衣類温センサ２０の温度検知面は、ドラム１２の内側へ突出し且つ奥壁１２１の円周方向へ湾曲する断面略円弧状に形成されても良い。
【００７９】
具体的には、図９および図１０に示すように、断熱体１４４は、熱伝導性の低い合成樹脂製の部材であり、矩形状のセンサ孔１４３からドラム１２の内側へ突出し且つ奥壁１２１の円周方向（ここでは、表面板１４２の左右方向）へ湾曲する断面略円弧状に形成されている。衣類温センサ２０の外ケース２０１の検知面２０Ａは、この断熱体１４４の中央部からドラム１２の内側へ突出しており、断熱体１４４の表面に対して略同一曲面となるよう奥壁１２１の円周方向へ湾曲している。
【００８０】
この構成によれば、ドラム１２内で攪拌される衣類Ｍが衣類温センサ２０に対して左右いずれの方向から回転してきても、衣類Ｍがその検知面２０Ａへ所定の角度をもって接触するから、さらに正確に衣類温度を検知でき、ガスバーナ１６１による空気の加熱度合をより正確に調整することが可能である。
【００８１】
尚、上記実施の形態では、衣類温センサ２０は、正面視においてドラム１２の回転中心Ｐから外周側で且つ回転中心Ｐより下方にオフセットした位置に配設され、さらにその下側方に、温風ダクト１５の正面開放部１５２が開設されているが、回転中心Ｐから外周側で且つ回転中心Ｐより上方にオフセットした位置に衣類温センサ２０が配設され、さらにその上側方に、温風ダクト１５の正面開放部１５２が開設されても良い。
【００８２】
上記第２の実施形態では、フランジ１４１、表面板１４２および軸カバー１２５のそれぞれに温風吹出口１２３Ａ，１２３Ｂが配設されているが、軸カバー１２５を有しておらず、フランジ１４１および表面板１４２に温風吹出口１２３Ａが配設されたものであっても良いし、表面板１４２を有しておらず、フランジ１４１および軸カバー１２５に温風吹出口１２３Ａ，１２３Ｂが配設されたものであっても良い。また、軸カバー１２５および表面板１４２を共に有しておらず、フランジ１４１に温風吹出口１２３Ａが配設されたものであっても良い。
【符号の説明】
【００８３】
１・・・衣類乾燥機
１２・・・ドラム
１２１・・・奥壁
１２３・・・温風吹出口
１４・・・支軸
１４１・・・フランジ
１６・・・バーナユニット（加熱手段）
１８・・・給排気ファン
２０・・・衣類温センサ
３０・・・制御回路（制御部）
１０１・・衣類取出口
１１１・・温風排出口
Ｍ・・・衣類
【図１】
0005511764.tif 000002
【図２】
0005511764.tif 000003
【図３】
0005511764.tif 000004
【図４】
0005511764.tif 000005
【図５】
0005511764.tif 000006
【図６】
0005511764.tif 000007
【図７】
0005511764.tif 000008
【図８】
0005511764.tif 000009
【図９】
0005511764.tif 000010
【図１０】
0005511764.tif 000011